(57)【要約】【課題】二重番号サービスをＩＰ網上で実現すること。【解決手段】二重番号サービスシステムの網内ＡＳ２４は、二重番号サービスに契約していると着側加入者サーバ２３によって確認された主番号について、二重番号サービスの起動状態が起動中であるときには、主番号に対応する二重番号サービス管理用データのガイダンス内容を発側端末１１に通知するよう網内ＭＳ２５に指示し、取得した二重番号サービスの起動状態が起動中でないときには、発側端末１１からの主番号による呼接続要求を着側端末２１に通知するよう着側加入者サーバ２３に指示する。【選択図】図２
2011211275.tif 000002
【特許請求の範囲】
【請求項１】
発側端末から着側端末への呼接続要求によって前記発側端末と前記着側端末との通話を実現させるＩＰ電話網において、前記着側端末には主番号と副番号との二重番号が割り当てられ、前記発側端末からの呼接続要求においては主番号または副番号のいずれかが指定される二重番号サービスシステムによる二重番号サービス方法であって、
二重番号サービスシステムは、
前記発側端末を収容する発側加入者サーバと、前記発側端末と前記発側加入者サーバとの間でＩＰ変換処理を行う発側ＩＰ変換装置と、
前記着側端末を収容する着側加入者サーバと、前記着側端末と前記着側加入者サーバとの間でＩＰ変換処理を行う着側ＩＰ変換装置と、
前記着側端末に割り当てられている主番号と、二重番号サービスの起動状態と、二重番号サービスのガイダンス内容との対応情報である二重番号サービス管理用データを有する網内ＡＳと、
前記発側端末に対して前記二重番号サービス管理用データのガイダンス内容を通知する網内ＭＳと、を含めて構成されており、
前記着側加入者サーバは、前記発側端末からの主番号による呼接続要求を受信すると、前記着側端末の主番号ごとに二重番号サービスに契約しているか否かを示す加入者契約管理用データを記憶手段から読み取り、受信した呼接続要求の主番号が、二重番号サービスに契約している主番号であることを照合し、
前記網内ＡＳは、
二重番号サービスに契約していると前記着側加入者サーバによって確認された主番号について、前記二重番号サービス管理用データを参照して、主番号に対応する前記二重番号サービスの起動状態を取得し、
取得した前記二重番号サービスの起動状態が起動中であるときには、主番号に対応する前記二重番号サービス管理用データのガイダンス内容を前記発側端末に通知するよう前記網内ＭＳに指示し、
取得した前記二重番号サービスの起動状態が起動中でないときには、前記発側端末からの主番号による呼接続要求を前記着側端末に通知するよう前記着側加入者サーバに指示することを特徴とする
二重番号サービス方法。
【請求項２】
前記着側加入者サーバの記憶手段には、前記加入者契約管理用データの主番号に対して二重番号として割り当てられる副番号も対応づけて記憶されており、
前記着側加入者サーバは、前記発側端末からの副番号による呼接続要求を受信すると、自装置の前記加入者契約管理用データを参照して副番号から対応する主番号を特定し、呼接続要求の副番号を特定した主番号へと変換してから、呼接続要求を前記着側端末に通知することを特徴とする
請求項１に記載の二重番号サービス方法。
【請求項３】
前記着側ＩＰ変換装置の記憶手段には、前記加入者契約管理用データの主番号に対して二重番号として割り当てられる副番号も対応づけて記憶されており、
前記着側ＩＰ変換装置は、前記発側端末からの副番号による呼接続要求を受信すると、自装置の前記加入者契約管理用データを参照して副番号から対応する主番号を特定し、呼接続要求の副番号を特定した主番号へと変換してから、呼接続要求を前記着側端末に通知することを特徴とする
請求項１に記載の二重番号サービス方法。
【請求項４】
前記網内ＡＳの記憶手段には、前記二重番号サービス管理用データの主番号に対して二重番号として割り当てられる副番号も対応づけて記憶されており、
前記網内ＡＳは、呼接続要求の副番号を指定した主番号の問い合わせ要求を前記着側加入者サーバから受信すると、自装置の前記二重番号サービス管理用データを参照して副番号から対応する主番号を特定して、前記着側加入者サーバへと応答し、
前記着側加入者サーバは、呼接続要求の副番号を前記網内ＡＳから応答された主番号へと変換してから、呼接続要求を前記着側端末に通知することを特徴とする
請求項１に記載の二重番号サービス方法。
【請求項５】
二重番号サービスシステムには、前記二重番号サービスの起動状態の指示、および、前記二重番号サービスのガイダンス内容の指示のうちの少なくとも１つの指示を指定するための設定用端末が接続されており、
前記網内ＡＳは、前記設定用端末からの指示を受信すると、その指示の内容を自装置内の前記二重番号サービス管理用データへと書き込むことを特徴とする
請求項１ないし請求項４のいずれか１項に記載の二重番号サービス方法。
【請求項６】
発側端末から着側端末への呼接続要求によって前記発側端末と前記着側端末との通話を実現させるＩＰ電話網において、前記着側端末には主番号と副番号との二重番号が割り当てられ、前記発側端末からの呼接続要求においては主番号または副番号のいずれかが指定される二重番号サービスシステムであって、
前記発側端末を収容する発側加入者サーバと、前記発側端末と前記発側加入者サーバとの間でＩＰ変換処理を行う発側ＩＰ変換装置と、
前記着側端末を収容する着側加入者サーバと、前記着側端末と前記着側加入者サーバとの間でＩＰ変換処理を行う着側ＩＰ変換装置と、
前記着側端末に割り当てられている主番号と、二重番号サービスの起動状態と、二重番号サービスのガイダンス内容との対応情報である二重番号サービス管理用データを有する網内ＡＳと、
前記発側端末に対して前記二重番号サービス管理用データのガイダンス内容を通知する網内ＭＳと、を含めて構成されており、
前記着側加入者サーバは、前記発側端末からの主番号による呼接続要求を受信すると、前記着側端末の主番号ごとに二重番号サービスに契約しているか否かを示す加入者契約管理用データを記憶手段から読み取り、受信した呼接続要求の主番号が、二重番号サービスに契約している主番号であることを照合し、
前記網内ＡＳは、
二重番号サービスに契約していると前記着側加入者サーバによって確認された主番号について、前記二重番号サービス管理用データを参照して、主番号に対応する前記二重番号サービスの起動状態を取得し、
取得した前記二重番号サービスの起動状態が起動中であるときには、主番号に対応する前記二重番号サービス管理用データのガイダンス内容を前記発側端末に通知するよう前記網内ＭＳに指示し、
取得した前記二重番号サービスの起動状態が起動中でないときには、前記発側端末からの主番号による呼接続要求を前記着側端末に通知するよう前記着側加入者サーバに指示することを特徴とする
二重番号サービスシステム。
【発明の詳細な説明】
【技術分野】
【０００１】
本発明は、二重番号サービス方法、および、二重番号サービスシステムに関する。
【背景技術】
【０００２】
公衆交換電話網（ＰＳＴＮ：Public Switched Telephone Networks）が加入者に提供するサービスの１つとして「二重番号サービス」がある（特許文献１、非特許文献１など）。二重番号サービスでは、呼の呼出先である着側端末に対して、主番号と副番号という二重の番号が割り当てられているサービスである。そして、以下の（１）〜（３）のように、場合分けされた応答が呼の呼出元である発側端末に返される。
（１）呼が主番号で着信し、二重番号サービスが起動されているならば、呼はトーキ案内に接続されてガイダンスが行われ、二重番号サービスの契約者（以下、単に契約者とする）の電話機には接続されない。これにより、迷惑電話を防止したり、営業時間外の応答を自動で実施したりできる。
（２）呼が主番号で着信し、二重番号サービスが起動されていないならば、契約者の電話機に接続された通話が可能となる。
（３）副番号で接続要求された場合、二重番号サービスが起動中または停止中にかかわらずに、二重番号サービス加入者の回線が空きであれば、これに着信させる。
【先行技術文献】
【特許文献】
【０００３】
【特許文献１】特開平５−１２２３４９号公報
【非特許文献】
【０００４】
【非特許文献１】ＮＴＴ東日本、“二重番号サービス”、［online］、［２０１０年３月１７日検索］、インターネット（URL：http://web116.jp/shop/benri/double/double_00.html）
【発明の概要】
【発明が解決しようとする課題】
【０００５】
ＰＳＴＮ上での二重番号サービスを、低コストであるＩＰ（Internet Protocol）網上でも実現したいというニーズがある。しかし、回線交換型のＰＳＴＮでの二重番号サービスを、パケット交換型のＩＰ網上にそのまま実装することは、通信方式の前提の違いなどにより困難である。さらに、二重番号サービスの契約者が、二重番号サービスの設定操作（起動指示、停止指示、ガイダンス内容の選択など）を、ＩＰ網を介して実行させることも、重要である。
【０００６】
そこで、本発明は、前記した問題を解決し、二重番号サービスをＩＰ網上で実現することを、主な目的とする。
【課題を解決するための手段】
【０００７】
前記課題を解決するために、本発明は、発側端末から着側端末への呼接続要求によって前記発側端末と前記着側端末との通話を実現させるＩＰ電話網において、前記着側端末には主番号と副番号との二重番号が割り当てられ、前記発側端末からの呼接続要求においては主番号または副番号のいずれかが指定される二重番号サービスシステムによる二重番号サービス方法であって、二重番号サービスシステムが、前記発側端末を収容する発側加入者サーバと、前記発側端末と前記発側加入者サーバとの間でＩＰ変換処理を行う発側ＩＰ変換装置と、前記着側端末を収容する着側加入者サーバと、前記着側端末と前記着側加入者サーバとの間でＩＰ変換処理を行う着側ＩＰ変換装置と、前記着側端末に割り当てられている主番号と、二重番号サービスの起動状態と、二重番号サービスのガイダンス内容との対応情報である二重番号サービス管理用データを有する網内ＡＳと、前記発側端末に対して前記二重番号サービス管理用データのガイダンス内容を通知する網内ＭＳと、を含めて構成されており、前記着側加入者サーバが、前記発側端末からの主番号による呼接続要求を受信すると、前記着側端末の主番号ごとに二重番号サービスに契約しているか否かを示す加入者契約管理用データを記憶手段から読み取り、受信した呼接続要求の主番号が、二重番号サービスに契約している主番号であることを照合し、前記網内ＡＳが、二重番号サービスに契約していると前記着側加入者サーバによって確認された主番号について、前記二重番号サービス管理用データを参照して、主番号に対応する前記二重番号サービスの起動状態を取得し、取得した前記二重番号サービスの起動状態が起動中であるときには、主番号に対応する前記二重番号サービス管理用データのガイダンス内容を前記発側端末に通知するよう前記網内ＭＳに指示し、取得した前記二重番号サービスの起動状態が起動中でないときには、前記発側端末からの主番号による呼接続要求を前記着側端末に通知するよう前記着側加入者サーバに指示することを特徴とする。
【０００８】
これにより、主番号が指定される呼接続要求に対して、網内ＡＳが二重番号サービス管理用データを参照して、二重番号サービスの起動状態を取得し、その起動状態が起動中か否かに応じて対応する制御内容を特定することで、二重番号サービスをＩＰ網上で実現することができる。
【０００９】
本発明は、前記着側加入者サーバの記憶手段には、前記加入者契約管理用データの主番号に対して二重番号として割り当てられる副番号も対応づけて記憶されており、前記着側加入者サーバが、前記発側端末からの副番号による呼接続要求を受信すると、自装置の前記加入者契約管理用データを参照して副番号から対応する主番号を特定し、呼接続要求の副番号を特定した主番号へと変換してから、呼接続要求を前記着側端末に通知することを特徴とする。
【００１０】
これにより、副番号が指定される呼接続要求に対して、副番号から対応する主番号を特定することで、二重番号サービスをＩＰ網上で実現することができる。
【００１１】
本発明は、前記着側ＩＰ変換装置の記憶手段には、前記加入者契約管理用データの主番号に対して二重番号として割り当てられる副番号も対応づけて記憶されており、前記着側ＩＰ変換装置が、前記発側端末からの副番号による呼接続要求を受信すると、自装置の前記加入者契約管理用データを参照して副番号から対応する主番号を特定し、呼接続要求の副番号を特定した主番号へと変換してから、呼接続要求を前記着側端末に通知することを特徴とする。
【００１２】
これにより、副番号が指定される呼接続要求に対して、副番号から対応する主番号を特定することで、二重番号サービスをＩＰ網上で実現することができる。
【００１３】
本発明は、前記網内ＡＳの記憶手段には、前記二重番号サービス管理用データの主番号に対して二重番号として割り当てられる副番号も対応づけて記憶されており、前記網内ＡＳが、呼接続要求の副番号を指定した主番号の問い合わせ要求を前記着側加入者サーバから受信すると、自装置の前記二重番号サービス管理用データを参照して副番号から対応する主番号を特定して、前記着側加入者サーバへと応答し、前記着側加入者サーバが、呼接続要求の副番号を前記網内ＡＳから応答された主番号へと変換してから、呼接続要求を前記着側端末に通知することを特徴とする。
【００１４】
これにより、副番号が指定される呼接続要求に対して、副番号から対応する主番号を特定することで、二重番号サービスをＩＰ網上で実現することができる。
【００１５】
本発明は、二重番号サービスシステムには、前記二重番号サービスの起動状態の指示、および、前記二重番号サービスのガイダンス内容の指示のうちの少なくとも１つの指示を指定するための設定用端末が接続されており、前記網内ＡＳが、前記設定用端末からの指示を受信すると、その指示の内容を自装置内の前記二重番号サービス管理用データへと書き込むことを特徴とする。
【００１６】
これにより、二重番号サービスの設定内容を、着側端末とは別の設定用端末として用意することにより、ユーザが二重番号サービスの設定操作を効率的に行うことを支援する。
【００１７】
さらに、本発明は、前記した二重番号サービスシステム、および、その二重番号サービスシステムに用いられる各装置（ＩＰ変換装置、加入者サーバ、網内ＡＳ、網内ＭＳ）である。
【００１８】
これにより、二重番号サービスをＩＰ網上で実現するための各装置を、提供することができる。
【発明の効果】
【００１９】
本発明によれば、二重番号サービスをＩＰ網上で実現することができる。
【図面の簡単な説明】
【００２０】
【図１】本発明の一実施形態に関するＩＰ網上での二重番号サービスを示す説明図である。
【図２】本発明の一実施形態に関する二重番号サービスシステムを示す構成図である。
【図３】本発明の一実施形態に関する図２の二重番号サービスシステムの変形例を示す。
【図４】本発明の一実施形態に関する二重番号サービス管理用データの起動状態を変更する処理を示すフローチャートである。
【図５】本発明の一実施形態に関する契約チェックが失敗したときの処理を示すフローチャートである。
【図６】本発明の一実施形態に関する図４の起動状態変更処理の変形例を示すフローチャートである。
【図７】本発明の一実施形態に関する加入者契約管理用データのガイダンス内容の指定処理を示すフローチャートである。
【図８】本発明の一実施形態に関する図７のガイダンス内容の指定処理の変形例を示すフローチャートである。
【図９】本発明の一実施形態に関する二重番号サービスの起動中における主番号への着信処理を示すフローチャートである。
【図１０】本発明の一実施形態に関する二重番号サービスの停止中における主番号への着信処理を示すフローチャートである。
【図１１】本発明の一実施形態に関する副番号への着信処理を示すフローチャートである。
【図１２】本発明の一実施形態に関する副番号への着信処理を示すフローチャートである。
【発明を実施するための形態】
【００２１】
以下、本発明の一実施形態を、図面を参照して詳細に説明する。
【００２２】
図１は、ＩＰ網上での二重番号サービスを示す説明図である。二重番号サービスの契約者の着側端末２１には、二重の電話番号（主番号および副番号）が割り当てられており、そのどちらの電話番号を指定した呼接続でも応答できる。
【００２３】
図１（ａ）に示すように、発側端末１１からの呼が主番号で着信した場合、二重番号サービスが起動されているならば、着側加入者サーバ２３から網内ＭＳ（Message Server）２５のトーキ案内に呼接続されて発側端末１１へのガイダンスが行われるため、着側端末２１には呼接続されない。
図１（ｂ）に示すように、発側端末１１からの呼が主番号で着信した場合、二重番号サービスが起動されていないならば、着側加入者サーバ２３から着側端末２１に呼接続され、着側端末２１が呼接続に応答することにより、通話が可能となる。
図１（ｃ）に示すように、発側端末１１からの呼が副番号で着信した場合、二重番号サービスが起動中、停止中に係わらずに、二重番号サービス加入者の回線が空きであれば、着側加入者サーバ２３から着側端末２１に呼接続され、着側端末２１が呼接続に応答することにより、通話が可能となる。なお、副番号の呼は、主番号の呼へと番号変換される。
【００２４】
なお、二重番号サービスの設定操作（起動指示、停止指示、ガイダンス内容の選択など）は、例えば、着側端末２１から、二重番号サービスを表す特別な電話番号（以下、特番とする）をダイヤルした後、二重番号サービスの設定操作を特定する番号をダイヤルすることにより、実現される。
【００２５】
図２は、二重番号サービスシステムを示す構成図である。二重番号サービスシステムは、発側網の各装置（発側端末１１、発側ＩＰ変換装置１２、発側加入者サーバ１３）と、着側網の各装置（着側端末２１、着側ＩＰ変換装置２２、着側加入者サーバ２３）と、その他の各装置（中継サーバ２０、網内ＡＳ（Application Server）２４、網内ＭＳ２５）とがネットワークで接続されて構成される。
なお、二重番号サービスシステムの各装置は、ＣＰＵとメモリとハードディスク（記憶手段）とネットワークインタフェースを有するコンピュータとして構成され、このコンピュータは、ＣＰＵは、メモリ上に読み込んだプログラムを実行することにより、各処理部を動作させる。ネットワークインタフェースは、二重番号サービスシステムのネットワークに接続されている。
【００２６】
【表１】
2011211275.tif 000003
【００２７】
表１に示す各管理データは、図２の二重番号サービスシステムにおいて、各処理に用いられるデータである。
特番管理用データは、発側ＩＰ変換装置１２，着側ＩＰ変換装置２２の記憶手段に記憶される形態が基本であるが、特定の装置（網内ＡＳ２４など）に集中して配置することで、管理コストなどを削減できる。
特番管理用データは、特番の種別を示す特番情報と、特番の電話番号と、特番を受信したときの動作内容との対応情報である。例えば、特番管理用データの１行目は、二重番号として電話番号「ＡＡＡ」を受信したときには、「第２ダイヤルトーンの送出」処理を行う旨が記載されている。
【００２８】
加入者契約管理用データは、発側加入者サーバ１３，着側加入者サーバ２３の記憶手段に記憶される形態が基本であるが、特定の装置（網内ＡＳ２４など）に集中して配置することで、管理コストなどを削減できる。
加入者契約管理用データは、加入者電話番号（二重番号サービスにおける主番号）と、その加入者における二重番号サービス契約の有無情報と、加入者電話番号の通話状態（未使用または話し中）との対応情報である。例えば、加入者契約管理用データの１行目は、加入者電話番号「0422-59-xxxx」の加入者が二重番号サービスに契約しており、現在は未使用（話し中ではない）の旨が記載されている。
【００２９】
二重番号サービス管理用データは、網内ＡＳ２４の記憶手段に記憶される。二重番号サービス管理用データは、二重番号サービスの契約者の電話番号（二重番号サービスの主番号）と、その二重番号サービスの起動状態（起動中または停止中）と、その契約者のガイダンス内容との対応情報である。例えば、二重番号サービス管理用データの１行目は、主番号「0422-59-xxxx」の契約者の二重番号サービスが起動中であり、ガイダンスパターンＡのガイダンス内容や、連絡先番号（0422-59-aaaa）のガイダンス内容を通知する旨が記載されている。
【００３０】
ガイダンスパターン管理用データは、網内ＭＳ２５の記憶手段に記憶される。ガイダンスパターン管理用データは、ガイダンスパターンの識別子ごとに、そのガイダンスメッセージの内容を示すデータである。なお、ガイダンスメッセージの「△△△」などの空欄は、定型文における契約者ごとに変化する内容を二重番号サービス管理用データのガイダンス内容から代入する箇所である。
【００３１】
図２に戻り、中継サーバ２０は、発側加入者サーバ１３と着側加入者サーバ２３の間で、呼制御信号を中継する。
発側ＩＰ変換装置１２，着側ＩＰ変換装置２２は、従来からのアナログ電話およびＩＰ電話（発側端末１１，着側端末２１）を収容し、音声をＩＰパケット化してＩＰ網経由で送受信するとともに、ＩＰ電話としての呼制御の信号を加入者サーバ（発側加入者サーバ１３，着側加入者サーバ２３）との間で送受信する。
なお、発側ＩＰ変換装置１２，着側ＩＰ変換装置２２は、ＩＰ電話の呼制御の信号プロトコルとして、例えば、ＳＩＰ、Ｈ．３２３、Ｈ．２４８などの任意の呼制御プロトコルを用いる。
また、発側ＩＰ変換装置１２，着側ＩＰ変換装置２２は、加入者の宅内にＨＧＷ（Home Gateway）として設置されていてもよいし、通信事業者の網内に設置されていてもよい。
【００３２】
発側加入者サーバ１３，着側加入者サーバ２３は、加入者の通話用端末（発側端末１１，着側端末２１）を収容し、通話用の呼処理（セッション管理）を担当するサーバである。
【００３３】
網内ＡＳ２４は、二重番号サービスのアプリケーションサーバである。網内ＡＳ２４は、加入者サーバごとに用意する必要はなく、複数の加入者サーバに対して集約して配備することができる。あるいは、網内ＡＳ２４の機能を加入者サーバと同じ機器内に収容してもよい。
【００３４】
網内ＭＳ２５は、メッセージサーバであり、図１（ａ）に示すように、二重番号サービス起動中に主番号に着信した際に発側端末１１に向けてガイダンスを流す。網内ＭＳ２５は、加入者サーバごとあるいは網内ＡＳ２４ごとに用意する必要はなく、複数の加入者サーバに対して集約して配備することができる。なお、従来のＰＳＴＮでは、トーキ案内装置（網内ＭＳ２５に該当）を各交換機（加入者サーバに該当）ごとに用意する必要があったため、本実施形態ではトーキ案内装置の台数を削減することができる。
【００３５】
なお、網内ＡＳ２４、網内ＭＳ２５については、加入者サーバを提供、管理しているネットワーク事業者が、そのネットワーク事業者の網内に配置してもよいし、他のネットワーク事業者の網内に配置してもよい。つまり、加入者サーバ（発側加入者サーバ１３，着側加入者サーバ２３）の提供事業者と、二重番号サービスのサーバ（網内ＡＳ２４，網内ＭＳ２５）の提供事業者とは、同じでも異なってもよい。
【００３６】
図３は、図２の二重番号サービスシステムの変形例を示す。図３の二重番号サービスシステムでは、図２の二重番号サービスシステムに対して、ネットワーク２６（インターネットあるいは専用ＩＰ網）および設定用端末２７（パソコンなどの端末）が追加される。
設定用端末２７は、二重番号サービスの設定操作（起動指示、停止指示、ガイダンス内容の選択など）を、ＩＰ網（ネットワーク２６）を介して実行させるための装置である。これにより、図２での着側端末２１を介した電話番号の入力での二重番号サービスの設定操作を、図３での設定用端末２７を介したデータ入力（ＷＷＷインタフェースでの入力など）での二重番号サービスの設定操作に置き換えることで、契約者による設定操作の入力効率を向上させることができる。なお、設定用端末２７から網内ＡＳ２４へのアクセスは、ユーザＩＤおよびパスワードによる認証、あるいは、回線認証機能などを利用して許可される。
【００３７】
図４は、二重番号サービス管理用データの起動状態を変更（起動中→停止中、あるいは、停止中→起動中）する処理を示すフローチャートである。
なお、図４を含む各フローチャートの開始契機は、加入者の端末（発側端末１１，着側端末２１）が、接続されるＩＰ変換装置（発側ＩＰ変換装置１２，着側ＩＰ変換装置２２）にオフフックを送信し、その応答としてダイヤルトーンを受信したとき（ダイヤル入力を促す状態）とする。
【００３８】
着側ＩＰ変換装置２２は、着側端末２１から二重番号サービスを示す特番のダイヤルを受けると（Ｓ１０１）、第２ダイヤルトーンを返す（Ｓ１０２）。
着側ＩＰ変換装置２２は、着側端末２１から状態指示を示す番号のダイヤルを受けると（Ｓ１０３）、その情報を着側加入者サーバ２３に通知し（Ｓ１０４）、着側加入者サーバ２３に状態指示が契約者のものか否かをチェック（契約チェック）させる（Ｓ１０５）。具体的には、着側加入者サーバ２３は、状態指示を送信した着側端末２１の電話番号を加入者契約管理用データから検索し、対応する加入者契約管理用データの「二重番号サービス契約有無」列を参照する。以下、契約チェックが成功（正規の契約者からの状態指示である）したことを前提として、図４の説明を続ける。
【００３９】
着側加入者サーバ２３は、処理要求として、Ｓ１０４で受信した状態指示を網内ＡＳ２４に通知する（Ｓ１０６）と、網内ＡＳ２４は、その処理要求で指定された状態指示を、そのまま二重番号サービス管理用データの起動状態として書き込む。
網内ＡＳ２４は、処理要求を受け付けたことを、着側加入者サーバ２３経由で（Ｓ１０７ａ）着側ＩＰ変換装置２２に通知し（Ｓ１０７ｂ）、着側ＩＰ変換装置２２は、通知を受けて受付音を着側端末２１へと送信する（Ｓ１０８）。
網内ＡＳ２４は、切断の旨を、着側加入者サーバ２３経由で（Ｓ１０９ａ）着側ＩＰ変換装置２２に通知し（Ｓ１０９ｂ）、着側ＩＰ変換装置２２は、通知を受けて話中音を着側端末２１へと送信する（Ｓ１１０）。そして、着側端末２１は、契約者からのオンフックを着側ＩＰ変換装置２２に返答する（Ｓ１１１）。
【００４０】
図５（ａ）は、図４の契約チェック（Ｓ１０５）において、契約チェックが失敗（非契約者からの状態指示である）したときの処理を示すフローチャートである。
Ｓ１０１〜Ｓ１０５の処理は、図４と同じである。
着側加入者サーバ２３は、契約チェック（Ｓ１０５）で失敗したときには、着側ＩＰ変換装置２２に対して受付拒否を伝える（Ｓ１２１）。
着側ＩＰ変換装置２２は、受付拒否を受け、話中音を非契約者の着側端末２１へと送信する（Ｓ１２２）。そして、着側端末２１は、非契約者からのオンフックを着側ＩＰ変換装置２２に返答する（Ｓ１２３）。
【００４１】
図５（ｂ）は、図５（ａ）の変形例として、契約チェック（Ｓ１０５）を行う装置を着側加入者サーバ２３から着側ＩＰ変換装置２２に変更したときの処理を示すフローチャートである。
着側加入者サーバ２３よりも着側端末２１の側に近い着側ＩＰ変換装置２２において契約チェック（Ｓ１０５）を行うことにより、処理数を減らすことができる。
なお、この図５（ｂ）の処理を行うためには、Ｓ１０５において、着側ＩＰ変換装置２２は、加入者契約管理用データにアクセスできるようにする必要がある。そのため、加入者契約管理用データは、着側ＩＰ変換装置２２の装置内に記憶することとしてもよいし、着側加入者サーバ２３内の加入者契約管理用データに対して、着側ＩＰ変換装置２２が問い合わせることとしてもよい。
なお、以上図４，図５で説明した契約チェック（Ｓ１０５）の処理は、後記の図６〜図８では記載は省略するものの、図４，図５と同様に実行する。
【００４２】
図６は、図４の起動状態変更処理の変形例（網内ＭＳ２５が一部の処理を代行する例）を示すフローチャートである。
【００４３】
着側ＩＰ変換装置２２は、二重番号サービスを示す特番のダイヤルを受けると（Ｓ１０１）、着側加入者サーバ２３経由で、接続要求を網内ＡＳ２４に伝える（Ｓ１０１ａ）。網内ＡＳ２４は、網内ＭＳ２５に契約者からのダイヤルを受けるよう処理要求を送る（Ｓ１０１ｂ）。
Ｓ１０１ｂの処理要求を受けた網内ＭＳ２５は、第２ダイヤルトーンを音声パケットとして着側ＩＰ変換装置２２に送り、着側ＩＰ変換装置２２は、音声パケットから音を再生し、第２ダイヤルトーンを着側端末２１に送る（Ｓ１０２）。
【００４４】
Ｓ１０３において、着側端末２１から、状態指示を示すダイヤルが着側ＩＰ変換装置２２に届くと、着側ＩＰ変換装置２２は、ダイヤルがダイヤルパルス信号の場合はその番号をＰＢ（Push Button）信号音に変換し、ＰＢ信号音を音声パケット化し、網内ＭＳ２５に送る。また、着側端末２１からのダイヤルがＰＢ信号の場合は、直接ＰＢ信号音を音声パケット化し、網内ＭＳ２５に送る。これを受信した網内ＭＳ２５は、音声パケットからＰＢ信号音を再生し、それにより、状態指示の内容（起動中の指示または停止中の指示）を判断する。
【００４５】
網内ＭＳ２５は、こうして得られた二重番号サービスの状態指示の指示を網内ＡＳ２４に伝え（Ｓ１０６）、網内ＡＳ２４は、受信した指示を二重番号サービス管理用データに書き出す。そして、網内ＡＳ２４は、二重番号サービスの状態変更処理が完了したことを示す受付音の送出を網内ＭＳ２５へと要求する（Ｓ１０６ａ）。
網内ＭＳ２５は、Ｓ１０６ａの指示を受け、受付音を着側端末２１に伝える（Ｓ１０８）。この受付音は、音声パケットとして着側ＩＰ変換装置２２に送られ、着側ＩＰ変換装置２２で音声パケットから音に再生され、着側端末２１に送られる。
そして、網内ＡＳ２４は、Ｓ１０６ａで指示した受付音の送出を停止する旨を示す切断の信号を、網内ＭＳ２５へと送信し（Ｓ１０８ａ）、その後の処理は図４で説明したとおりである。
【００４６】
図７は、加入者契約管理用データのガイダンス内容の指定処理を示すフローチャートである。なお、ガイダンス内容には、ガイダンスパターンの選択のほか、ガイダンスパターンによってはガイダンスで案内する連絡先電話番号の指定が含まれる。
【００４７】
着側ＩＰ変換装置２２は、着側端末２１から二重番号サービスを示す特番のダイヤルを受けると（Ｓ２０１）、第２ダイヤルトーンを返し（Ｓ２０２）、さらにガイダンス内容を指定する番号のダイヤルを受けると（Ｓ２０３）、着側ＩＰ変換装置２２は、その情報を着側加入者サーバ２３を経由して網内ＡＳ２４に伝える（Ｓ２０４）。
【００４８】
網内ＡＳ２４は、Ｓ２０４で受信した情報をもとに、加入者契約管理用データのガイダンス内容を更新する。このとき、加入者契約管理用データのガイダンス内容に対応する起動状態が「停止中」なら、その起動状態を「起動中」に変更してもよい。さらに、網内ＡＳ２４は、網内ＭＳ２５にガイダンス内容を指定して、契約者が自身の指定したガイダンス内容が確認できるよう、ガイダンス接続を指示する（Ｓ２０５）。
網内ＭＳ２５は、ガイダンス内容を音声ＩＰパケットとして、網内ＡＳ２４経由で（Ｓ２０６ａ）着側ＩＰ変換装置２２に送り（Ｓ２０６ｂ）、そこから音声として着側端末２１に伝える（Ｓ２０７）。
【００４９】
網内ＭＳ２５は、Ｓ２０７のガイダンスが終了すると、その旨を網内ＡＳ２４に通知する（Ｓ２０８）。網内ＡＳ２４は、Ｓ２０８の通知を受け、網内ＭＳ２５と切断し（Ｓ２０９）、着側ＩＰ変換装置２２と切断する（Ｓ２１０）。着側ＩＰ変換装置２２は、着側端末２１に話中音を送信し（Ｓ２１１）、着側端末２１からのオンフックを受ける（Ｓ２１２）。
【００５０】
図８は、図７のガイダンス内容の指定処理の変形例を示すフローチャートである。
着側ＩＰ変換装置２２が着側端末２１から二重番号サービスを示す特番のダイヤルを受けると（Ｓ２０１）、着側加入者サーバ２３経由で、接続要求を網内ＡＳ２４に伝える（Ｓ２０１ａ）。網内ＡＳ２４は、網内ＭＳ２５に契約者からのダイヤルを受けるよう処理要求を送る（Ｓ２０１ｂ）。
Ｓ２０２として、この処理要求を受けた網内ＭＳ２５は、第２ダイヤルトーンを音声パケットとして着側ＩＰ変換装置２２に送り、着側ＩＰ変換装置２２は、音声パケットから音に再生し、第２ダイヤルトーンを着側端末２１に送る。
【００５１】
Ｓ２０３において、着側端末２１から、ガイダンス内容を指定するダイヤルが着側ＩＰ変換装置２２に届くと、着側ＩＰ変換装置２２は、ダイヤルがダイヤルパルス信号の場合はその番号をＰＢ信号音に変換し、ＰＢ信号音を音声パケット化し、網内ＭＳ２５に送る。
また、着側端末２１からのダイヤルがＰＢ信号の場合は、直接ＰＢ信号音を音声パケット化し、網内ＭＳ２５に送る。Ｓ２０３の指定を受信した網内ＭＳ２５は、音声パケットからＰＢ信号音を再生し、それにより、ガイダンスパターン、あるいは連絡先電話番号の指示を判断する。
【００５２】
網内ＭＳ２５は、こうして得られたガイダンス内容を網内ＡＳ２４に伝え（Ｓ２０４）、網内ＡＳ２４は、この情報により、契約者が指定したガイダンス内容（ガイダンスパターン、連絡先電話番号）を二重番号サービス管理用データに更新する。網内ＡＳ２４は、網内ＭＳ２５にガイダンス内容を指定して、契約者が自身の指定したガイダンス内容が確認できるよう、ガイダンス送出を指示する（Ｓ２０７ａ）。この後の処理は、図７と同じである。
【００５３】
図９は、二重番号サービスの起動中における主番号への着信処理（図１（ａ））を示すフローチャートである。
発側端末１１からの主番号への接続要求が発側ＩＰ変換装置１２を経由して（Ｓ３０１）、ＳＩＰ（Session Initiation Protocol）のＩＮＶＩＴＥ信号などで発側加入者サーバ１３を経由して着側加入者サーバ２３に届くと（Ｓ３０２）、着側加入者サーバ２３は、契約者であることを判定し、二重番号サービスが起動中か停止中かを、ＳＩＰのＩＮＶＩＴＥ信号などで網内ＡＳ２４に問い合わせる（Ｓ３０３）。
【００５４】
網内ＡＳ２４では、二重番号契約者から指定された二重番号サービスが起動中であることを判定し、網内ＭＳ２５へガイダンス送出準備をＳＩＰのＩＮＶＩＴＥ信号などで指示する（Ｓ３０４）。網内ＭＳ２５は、準備が完了すると網内ＡＳ２４にＳＩＰの「200 OK」などで応答を送り（Ｓ３０５ａ）、その応答の信号は着側加入者サーバ２３を介して（Ｓ３０５ｂ）、発側加入者サーバ１３を経由し、発側ＩＰ変換装置１２にまで送られる（Ｓ３０５ｃ）。
【００５５】
発側ＩＰ変換装置１２では、音声のＩＰパケットを処理する準備を行い、ＳＩＰのＡＣＫを発側加入者サーバ１３、着側加入者サーバ２３を経由し（Ｓ３０６ａ）、網内ＡＳ２４まで送る（Ｓ３０６ｂ）。
網内ＡＳ２４では、網内ＭＳ２５に契約者から指定されたガイダンス種別、連絡先電話番号の情報をＳＩＰのＩＮＦＯ信号などで伝え、ガイダンスの接続を指示する（Ｓ３０７）。なお、連絡先電話番号は、二重番号契約者が直接登録した電話番号のほか、他サービス（例えば短縮ダイヤルサービス）で既に登録されている番号から網内ＡＳ２４が取得し、網内ＭＳ２５に通知することもできる。
【００５６】
ガイダンス内容は、音声ＩＰパケットとして網内ＭＳ２５から発側ＩＰ変換装置１２に送られ、そこから音声として発側端末１１に伝えられる（Ｓ３０８）。
網内ＭＳ２５では、ガイダンス送出が終了すると、網内ＡＳ２４にガイダンス終了をＳＩＰのＩＮＦＯ信号などで通知し（Ｓ３０９）、網内ＡＳ２４から着側加入者サーバ２３を介し（Ｓ３１０ａ）、発側加入者サーバ１３を経由して発側ＩＰ変換装置１２まで切断信号をＳＩＰのＢＹＥ信号などで送る（Ｓ３１０ｂ）。発側ＩＰ変換装置１２は、着側端末２１に話中音を送信し（Ｓ３１１）、着側端末２１からのオンフックを受ける（Ｓ３１２）。
【００５７】
図１０は、二重番号サービスの停止中における主番号への着信処理（図１（ｂ））を示すフローチャートである。Ｓ３０１〜Ｓ３０３は、図９と同じ処理である。
網内ＡＳ２４は、二重番号サービスが停止中であることをＳＩＰの「480 Temporarily Unavailable」などで応答する（Ｓ３３１）。着側加入者サーバ２３はその応答を受け、主番号への接続要求をＳＩＰのＩＮＦＯ信号などで着側ＩＰ変換装置２２へ送り（Ｓ３３２）、契約者の呼出動作に進む（Ｓ３３３）。
【００５８】
以下のＳ３３４ａ〜Ｓ３３８で説明する呼出後通話処理は、図１０だけでなく、後記する図１１，図１２においても共通する処理である。よって、図１１，図１２では呼出後通話処理の記載を省略するものの、図１０で説明する呼出後通話処理と同じ処理が行われる。
着側ＩＰ変換装置２２は、呼出中であることをＳＩＰの「180 Ringing」などで、着側加入者サーバ２３を介して（Ｓ３３４ａ）、発側ＩＰ変換装置１２に通知し（Ｓ３３４ｂ）、発側ＩＰ変換装置１２は、その通知を受けて発側端末１１の呼出音を鳴動させる（Ｓ３３５）。
Ｓ３３６で着側端末２１からのオンフックを受けた着側ＩＰ変換装置２２は、その旨を示す応答をＳＩＰの「200 OK」などで、着側加入者サーバ２３を介して（Ｓ３３７ａ）、発側ＩＰ変換装置１２に通知する（Ｓ３３７ｂ）。これにより、発側ＩＰ変換装置１２と着側ＩＰ変換装置２２との間にＩＰ網上でのセッションが確立される。そして、発側端末１１と着側端末２１との間で、確立されたセッションを介して、通話が可能になる（Ｓ３３８）。
【００５９】
以下、副番号への着信処理（図１（ｃ））を示す３つのフローチャート（図１１（ａ），図１１（ｂ），図１２）それぞれを参照し、３つの実施例を説明する。これらの３つの実施例では、接続要求で指定される副番号を主番号へと番号変換する処理を、どの装置で実行するかが、それぞれの実施例で異なっている。
【００６０】
図１１（ａ）は、着側加入者サーバ２３が番号変換するときの処理を示すフローチャートである。
発側端末１１からの副番号へのダイヤル（Ｓ４０１）を発側ＩＰ変換装置１２は接続要求に変換する（Ｓ４０２）。この接続要求を発側加入者サーバ１３を経由して受けた着側加入者サーバ２３は、副番号を主番号に番号変換して（Ｓ４１０）、主番号への接続要求を着側の着側ＩＰ変換装置２２へ送り（Ｓ４０３）、契約者の呼出動作に進む（Ｓ４０４）。
【００６１】
【表２】
2011211275.tif 000004
【００６２】
表２に示す加入者契約管理用データは、表１の加入者契約管理用データに対して、「副番号」を示す列が追加されている。着側加入者サーバ２３は、番号変換するときに、表２の加入者契約管理用データを参照して、副番号から対応する主番号を特定する。
【００６３】
図１１（ｂ）は、着側ＩＰ変換装置２２が番号変換するときの処理を示すフローチャートである。
発側端末１１からの副番号へのダイヤル（Ｓ４０１）をもとにした、発側ＩＰ変換装置１２による副番号への接続要求（Ｓ４０２）を、発側加入者サーバ１３を経由して受けた着側加入者サーバ２３は、副番号への接続要求を着側の着側ＩＰ変換装置２２へ送る（Ｓ４０３ｂ）。この場合、着側加入者サーバ２３は、副番号での接続要求による通話については、副番号でのセッションとして管理する。
着側ＩＰ変換装置２２では、表２に示す加入者契約管理用データを参照して、副番号を対応する主番号に変換し（Ｓ４１０）、契約者の呼出動作に進む（Ｓ４０４）。着側ＩＰ変換装置２２では、主番号と副番号を連携させたセッション管理を行い、副番号での接続要求による通話が行われている間、主番号および副番号への新たな着信は話中と判定され接続拒否される。
【００６４】
図１２は、網内ＡＳ２４が番号変換するときの処理を示すフローチャートである。
発側端末１１からの副番号へのダイヤル（Ｓ４０１）をもとにした、発側ＩＰ変換装置１２による副番号への接続要求（Ｓ４０２）を、発側加入者サーバ１３を経由して受けた着側加入者サーバ２３は、網内ＡＳ２４への二重番号サービスへ副番号を伝えて、対応する主番号を問い合わせると（Ｓ４０９）、網内ＡＳ２４は対応する主番号に変換し（Ｓ４１０）、主番号で着信するように着側加入者サーバ２３に伝える（Ｓ４０３ａ）。着側加入者サーバ２３は、これを受け、主番号への接続要求を着側の着側ＩＰ変換装置２２へ送り（Ｓ４０３）、契約者の呼出動作に進む（Ｓ４０４）。
【００６５】
この場合、着側加入者サーバ２３は、副番号での接続要求について、主番号としてのセッション管理を行う。これにより副番号での接続要求による通話が行われている間、副番号への新たな着信は、網内ＡＳ２４から主番号への着信として伝えられたときに、話中と判定され接続拒否される。
【００６６】
【表３】
2011211275.tif 000005
【００６７】
表３に示す二重番号サービス管理用データは、表１の二重番号サービス管理用データに対して、「副番号」を示す列が追加されている。網内ＡＳ２４は、番号変換するときに、表３の二重番号サービス管理用データを参照して、主番号から対応する副番号を特定する。
【００６８】
以上、図９〜図１２において説明した主番号での呼接続と、副番号での呼接続とについて、セッション管理を実行する装置（着側ＩＰ変換装置２２、着側加入者サーバ２３、または、網内ＡＳ２４）は、同じ契約者の主番号での呼接続と副番号での呼接続とで、合わせて１つの呼接続だけが許容されるように、セッション管理する。
【００６９】
また、ガイダンス送出中は、主番号の状態を話中とするが、副番号の状態は空きとすることで、主番号への着信に対して発側端末１１にガイダンスが送られている間に新たに副番号に着信した場合、副番号による契約者への着信は話中とはならずに許容される。
【符号の説明】
【００７０】
１１    発側端末
１２    発側ＩＰ変換装置
１３    発側加入者サーバ
２０    中継サーバ
２１    着側端末
２２    着側ＩＰ変換装置
２３    着側加入者サーバ
２４    網内ＡＳ
２５    網内ＭＳ
２６    ネットワーク
２７    設定用端末
【図１】
2011211275.tif 000006
【図２】
2011211275.tif 000007
【図３】
2011211275.tif 000008
【図４】
2011211275.tif 000009
【図５】
2011211275.tif 000010
【図６】
2011211275.tif 000011
【図７】
2011211275.tif 000012
【図８】
2011211275.tif 000013
【図９】
2011211275.tif 000014
【図１０】
2011211275.tif 000015
【図１１】
2011211275.tif 000016
【図１２】
2011211275.tif 000017